【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
クレジットデリバティブ局であって、
複数の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに任意の複数の参照組織に関するサーチクライテリアを受信させ、そのサーチクライテリアに基づいて、その任意の参照組織に関するクレジットデリバティブ情報をそのデータベースから取得させ、そのデータベースから取り出されたクレジットデリバティブ情報を表示させる
ことを特徴とするクレジットデリバティブ局。
【請求項２】
請求項１に記載のクレジットデリバティブ局において、
受信されたサーチクライテリアは、クレジットデリバティブ情報がデータベースから取得される参照組織の識別子を含む
ことを特徴とするクレジットデリバティブ局。
【請求項３】
請求項１に記載のクレジットデリバティブ局において、
受信されたサーチクライテリアは、一つの参照組織に関するクレジットデリバティブを含む、少なくとも一つのビッド、オファー、またはトレードに関する時系列情報の要求を含み、
その指示は、さらに、プロセッサに、要求された時系列情報を取り出して、要求された時系列情報を表示させる
ことを特徴とするクレジットデリバティブ局。
【請求項４】
請求項３に記載のクレジットデリバティブ局において、
要求された時系列情報は、その時系列情報が要求される日付の特定を含む
ことを特徴とするクレジットデリバティブ局。
【請求項５】
請求項１に記載のクレジットデリバティブ局において、
受信されたサーチクライテリアは、ある参照組織に関するクレジットデリバティブについての、１日のうちの価格動向情報の要求を含み、
その指示は、さらに、プロセッサに、要求された１日のうちの価格動向情報を取り出させ、要求された１日のうちの価格動向情報を表示させる
ことを特徴とするクレジットデリバティブ局。
【請求項６】
請求項１に記載のクレジットデリバティブ局において、
受信されたサーチクライテリアは、ある参照組織に関するクレジットデリバティブについての、価格履歴情報の要求を含み、
その指示は、さらに、プロセッサに、要求された価格履歴情報を取り出させ、要求された価格履歴情報を表示させる
ことを特徴とするクレジットデリバティブ局。
【請求項７】
請求項６に記載のクレジットデリバティブ局において、
受信されたサーチクライテリアは、その価格履歴情報のグラフィック形式での表示要求を含み、
その指示は、さらに、プロセッサに、要求された価格情報をグラフィック形式で表示させる
ことを特徴とするクレジットデリバティブ局。
【請求項８】
請求項６に記載のクレジットデリバティブ局において、
受信されたサーチクライテリアは、同じクレジット格付けまたは同じ産業の複数の参照組織に関するクレジットデリバティブについての価格履歴情報の要求を含む
ことを特徴とするクレジットデリバティブ局。
【請求項９】
請求項１に記載のクレジットデリバティブ局において、
受信されたサーチクライテリアは、データベースからのクレジットデリバティブ情報の取り出しを、少なくとも一つの公示日、取引情報、債務レベル、ビッドまたはオファーに基づくものに限定する要求を含む
ことを特徴とするクレジットデリバティブ局。
【請求項１０】
請求項１に記載のクレジットデリバティブ局において、
その指示は、さらに、プロセッサに、価格履歴情報が要求される参照組織の選択を受信させるように構成され、
その参照組織の選択は、少なくとも一つの領域、クレジット格付け、または産業に基づいている
ことを特徴とするクレジットデリバティブ局。
【請求項１１】
請求項１に記載のクレジットデリバティブ局において、
受信されたサーチクライテリアは、ある産業内の参照組織、クレジット格付けに基づくある参照組織、地理上の領域に基づくある参照組織、または、上記の任意の組み合わせといった、複数の参照組織に関するクレジットデリバティブについての価格履歴情報を経時的にグラフ化し、比較する要求を含む
ことを特徴とするクレジットデリバティブ局。
【請求項１２】
請求項１に記載のクレジットデリバティブ局において、
受信されたサーチクライテリアは、データベース中に価格情報が蓄積された全ての参照組織に関するクレジットデリバティブについての価格情報の要求を含む
ことを特徴とするクレジットデリバティブ局。
【請求項１３】
請求項１２に記載のクレジットデリバティブ局において、
受信されたサーチクライテリアは、価格情報の要求を、地理上の領域、産業またはクレジット格付けに基づくものに限定する要求を含む
ことを特徴とするクレジットデリバティブ局。
【請求項１４】
請求項１に記載のクレジットデリバティブ局において、
受信されたサーチクライテリアは、特定の期間と、関係するクレジットデリバティブの価格がその特定の期間中に上昇するか下降する参照組織についてのクレジットデリバティブ情報の要求を含む
ことを特徴とするクレジットデリバティブ局。
【請求項１５】
クレジットデリバティブ情報追跡方法であって、
複数の参照組織に関するサーチクライテリアを受信し、
そのサーチクライテリアに基づいて、任意の参照組織に関するクレジットデリバティブ情報を取得し、
データベースから取り出されるクレジットデリバティブ情報を表示する
ことを特徴とするクレジットデリバティブ情報追跡方法。
【請求項１６】
請求項１５に記載のクレジットデリバティブ情報追跡方法において、さらに、
クレジットデリバティブ情報がデータベースから取得される参照組織の識別子を含むサーチクライテリアを受信する
ことを特徴とするクレジットデリバティブ情報追跡方法。
【請求項１７】
請求項１５に記載のクレジットデリバティブ情報追跡方法において、さらに、
一つの参照組織に関するクレジットデリバティブを含む、少なくとも一つのビッド、オファー、またはトレードに関する時系列情報の要求を含むサーチクライテリアを受信し、
要求された時系列情報を取り出し、
要求された時系列情報を表示する
ことを特徴とするクレジットデリバティブ情報追跡方法。
【請求項１８】
請求項１７に記載のクレジットデリバティブ情報追跡方法において、
要求された時系列情報は、その時系列情報が要求される日付の特定を含む
ことを特徴とするクレジットデリバティブ情報追跡方法。
【請求項１９】
請求項１５に記載のクレジットデリバティブ情報追跡方法において、さらに、
ある参照組織に関するクレジットデリバティブについての、１日のうちの価格動向情報の要求を含むサーチクライテリアを受信し、
要求された１日のうちの価格動向情報を取り出し、
要求された１日のうちの価格動向情報を表示する
ことを特徴とするクレジットデリバティブ情報追跡方法。
【請求項２０】
請求項１５に記載のクレジットデリバティブ情報追跡方法において、さらに、
ある参照組織に関するクレジットデリバティブについての、価格履歴情報の要求を含むサーチクライテリアを受信し、
要求された価格履歴情報を取り出し、
要求された価格履歴情報を表示する
ことを特徴とするクレジットデリバティブ情報追跡方法。
【請求項２１】
請求項２０に記載のクレジットデリバティブ情報追跡方法において、さらに、
その価格履歴情報のグラフィック形式での表示要求を含むサーチクライテリアを受信し、
要求された価格情報をグラフィック形式で表示する
ことを特徴とするクレジットデリバティブ情報追跡方法。
【請求項２２】
請求項２０に記載のクレジットデリバティブ情報追跡方法において、さらに、
同じクレジット格付けまたは同じ産業の複数の参照組織に関するクレジットデリバティブについての価格履歴情報の要求を含むサーチクライテリアを受信する
ことを特徴とするクレジットデリバティブ情報追跡方法。
【請求項２３】
請求項１５に記載のクレジットデリバティブ情報追跡方法において、さらに、
データベースからのクレジットデリバティブ情報の取り出しを、少なくとも一つの公示日、取引情報、債務レベル、ビッドまたはオファーに基づくものに限定する要求を含むサーチクライテリアを受信する
ことを特徴とするクレジットデリバティブ情報追跡方法。
【請求項２４】
請求項１５に記載のクレジットデリバティブ情報追跡方法において、さらに、
価格履歴情報が要求される参照組織の選択を受信し、
その参照組織の選択は、少なくとも一つの領域、クレジット格付け、または産業に基づいている
ことを特徴とするクレジットデリバティブ情報追跡方法。
【請求項２５】
請求項１５に記載のクレジットデリバティブ情報追跡方法において、さらに、
ある産業内の参照組織、クレジット格付けに基づくある参照組織、地理上の領域に基づくある参照組織といった、複数の参照組織に関するクレジットデリバティブについての価格履歴情報を経時的にグラフ化し、比較する要求を含むサーチクライテリアを受信する
ことを特徴とするクレジットデリバティブ情報追跡方法。
【請求項２６】
請求項１５に記載のクレジットデリバティブ情報追跡方法において、さらに、
データベース中に価格情報が蓄積された全ての参照組織に関するクレジットデリバティブについての価格情報の要求を含むサーチクライテリアを受信する
ことを特徴とするクレジットデリバティブ情報追跡方法。
【請求項２７】
請求項２６に記載のクレジットデリバティブ情報追跡方法において、さらに、
価格情報の要求を、地理上の領域、産業またはクレジットレーティングに基づくものに限定する要求を含むサーチクライテリアを受信する
ことを特徴とするクレジットデリバティブ情報追跡方法。
【請求項２８】
請求項１５に記載のクレジットデリバティブ情報追跡方法において、さらに、
特定の期間と、関係するクレジットデリバティブの価格がその特定の期間中に上昇するか下降する参照組織についてのクレジットデリバティブ情報の要求を含むサーチクライテリアを受信する
ことを特徴とするクレジットデリバティブ情報追跡方法。
【請求項２９】
任意のクレジットデリバティブ情報のビューを最適化する方法であって、
トレーダークライアントからポートフォリオクライテリアを受信し、
その受信されたクライテリアに基づいて任意の参照組織を選択し、
選択された参照組織を含む参照組織のポートフォリオを生成し、
生成されたポートフォリオについて、クレジットデリバティブ情報をトレーダークライアントに対して表示する
ことを特徴とするビュー最適化方法。
【請求項３０】
請求項２９に記載のビュー最適化方法において、
表示される情報は、そのポートフォリオ内の各参照組織に関するクレジットデリバティブについての平均格付けまたは価格情報を含む
ことを特徴とするビュー最適化方法。
【請求項３１】
請求項３０に記載のビュー最適化方法において、
表示される情報は、そのポートフォリオ内の各参照組織についての産業、地理上の領域、またはクレジット格付けによる、クレジットデリバティブの分類を含む
ことを特徴とするビュー最適化方法。
【請求項３２】
請求項２９に記載のビュー最適化方法において、さらに、
そのポートフォリオ内に含まれる少なくとも一つの新たな参照組織の選択を受信し、
そのポートフォリオ内の情報をアップデートして、新たに選択された参照組織についてのクレジットデリバティブ情報を含むようにさせる
ことを特徴とするビュー最適化方法。
【請求項３３】
請求項２９に記載のビュー最適化方法において、さらに、
そのポートフォリオから取り除かれるべきそのポートフォリオに含まれる参照組織の選択を受信し、
選択された参照組織をそのポートフォリオから取り除く
ことを特徴とするビュー最適化方法。
【請求項３４】
請求項２９に記載のビュー最適化方法において、さらに、
リポートの要求を受信し、
要求されたリポートに基づいて、データベースから任意の参照組織についてのクレジットデリバティブ情報を取得し、
要求されたリポートに基づく形式でそのクレジットデリバティブ情報をトレーダークライアントに対して表示する
ことを特徴とするビュー最適化方法。
【請求項３５】
クレジットデリバティブ局であって、
複数の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、トレーダークライアントからポートフォリオクライテリアを受信させ、受信されたクライテリアに基づいて任意の参照組織を選択させ、選択された参照組織を含む参照組織のポートフォリオを生成させ、生成されたポートフォリオについて、クレジットデリバティブ情報をトレーダークライアントに対して表示させる
ことを特徴とするクレジットデリバティブ局。
【請求項３６】
請求項３５に記載のクレジットデリバティブ局において、
その指示は、さらに、プロセッサに、そのポートフォリオ内の各参照組織に関するクレジットデリバティブについての平均格付けまたは価格情報を含むクレジットデリバティブ情報を表示させるように構成される
ことを特徴とするクレジットデリバティブ局。
【請求項３７】
請求項３６に記載のクレジットデリバティブ局において、
その指示は、さらに、プロセッサに、そのポートフォリオ内の各参照組織についての産業、地理上の領域、またはクレジット格付けによる、クレジットデリバティブの分類を含むクレジットデリバティブ情報を表示させる
ことを特徴とするクレジットデリバティブ局。
【請求項３８】
請求項３５に記載のクレジットデリバティブ局において、
その指示は、さらに、プロセッサに、そのポートフォリオ内に含まれる少なくとも一つの新たな参照組織の選択を受信させ、そのポートフォリオ内の情報をアップデートさせて、新たに選択された参照組織についてのクレジットデリバティブ情報を含むようにさせる
ことを特徴とするクレジットデリバティブ局。
【請求項３９】
請求項３５に記載のクレジットデリバティブ局において、
その指示は、さらに、プロセッサに、そのポートフォリオから取り除かれるべきそのポートフォリオに含まれる参照組織の選択を受信させ、選択された参照組織をそのポートフォリオから取り除かせる
ことを特徴とするクレジットデリバティブ局。
【請求項４０】
請求項３５に記載のクレジットデリバティブ局において、
その指示は、さらに、プロセッサに、リポートの要求を受信させ、要求されたリポートに基づいてデータベースから任意の参照組織についてのクレジットデリバティブ情報を取得させ、要求されたリポートに基づく形式でトレーダークライアントに対してクレジットデリバティブ情報を表示させる
ことを特徴とするクレジットデリバティブ局。
【請求項４１】
クレジットデリバティブ局であって、
任意の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、トレーダークライアントからポジションを受信させ、データベース中に蓄積された情報に基づいてそのポジションがベストポジションかを判断し、受信されたポジションはベストポジションであると判断された場合に、受信されたポジションに基づいて複数の他のトレーダークライアントをアップデートさせる
ことを特徴とするクレジットデリバティブ局。
【請求項４２】
請求項４１に記載のクレジットデリバティブ局において、
その指示は、さらに、プロセッサに、複数の他のトレーダークライアントをアップデートさせる
ことを特徴とするクレジットデリバティブ局。
【請求項４３】
請求項４１に記載のクレジットデリバティブ局において、
その指示は、さらに、プロセッサに、受信されたポジションに基づいて、データベース中に蓄積された情報をアップデートさせる
ことを特徴とするクレジットデリバティブ局。
【請求項４４】
請求項４１に記載のクレジットデリバティブ局において、
その指示は、さらに、プロセッサに、受信されたポジションがベストポジションかを判断する前に、受信されたポジションを検証させる
ことを特徴とするクレジットデリバティブ局。
【請求項４５】
請求項４４に記載のクレジットデリバティブ局において、
その指示は、さらに、プロセッサに、受信されたポジションの検証が失敗した場合に、エラーメッセージをトレーダークライアントに対して表示させる
ことを特徴とするクレジットデリバティブ局。
【請求項４６】
請求項４１に記載のクレジットデリバティブ局において、
その指示は、さらに、プロセッサに、複数の他のトレーダークライアントの一つからレスポンシブポジションを受信させる
ことを特徴とするクレジットデリバティブ局。
【請求項４７】
請求項４６に記載のクレジットデリバティブ局において、
その指示は、さらに、プロセッサに、レスポンシブポジションに基づいて、データベース中に蓄積された情報をアップデートさせる
ことを特徴とするクレジットデリバティブ局。
【請求項４８】
請求項４１に記載のクレジットデリバティブ局において、
その指示は、さらに、プロセッサに、複数の他のトレーダークライアントの一つからのポジションの受け入れを受信させる
ことを特徴とするクレジットデリバティブ局。
【請求項４９】
請求項４８に記載のクレジットデリバティブ局において、
その指示は、さらに、一旦そのポジションが受け入れられた場合に、プロセッサに、トレーダークライアントがそのポジションを受け入れた他のトレーダークライアントまたはブローカーと直接インタラクトできるようにさせる
ことを特徴とするクレジットデリバティブ局。
【請求項５０】
請求項４９に記載のクレジットデリバティブ局において、
その指示は、さらに、プロセッサに、受信された受け入れと、トレーダークライアントと他のトレーダークライアントまたはブローカーとの間のインタラクションに基づいて、データベース中に蓄積された情報をアップデートさせる
ことを特徴とするクレジットデリバティブ局。
【請求項５１】
請求項４１に記載のクレジットデリバティブ局において、
その指示は、さらに、プロセッサに、トレーダークライアントと複数の他のトレーダークライアントの少なくとも一つとの間の通信を実行させる
ことを特徴とするクレジットデリバティブ局。
【請求項５２】
請求項４１に記載のクレジットデリバティブ局において、
その指示は、さらに、プロセッサに、トレーダークライアントから指定されたポジションを受信させる
ことを特徴とするクレジットデリバティブ局。
【請求項５３】
請求項５２に記載のクレジットデリバティブ局において、
その指示は、さらに、プロセッサに、指定されたポジションを不活性化するための要求を受信させ、受信された不活性化要求に応答して、そのポジションを不活性化させる
ことを特徴とするクレジットデリバティブ局。
【請求項５４】
請求項５３に記載のクレジットデリバティブ局において、
その指示は、さらに、プロセッサに、不活性のポジションを再活性化させるための要求を受信させ、受信された再活性化要求に応答して、そのポジションを再活性化させる
ことを特徴とするクレジットデリバティブ局。
【請求項５５】
請求項４１に記載のクレジットデリバティブ局において、
その指示は、さらに、プロセッサに、トレーダークライアントによって行われたトレード履歴の要求をトレーダークライアントから受信させ、受信された要求に応答してそのトレード履歴を提供させる
ことを特徴とするクレジットデリバティブ局。
【請求項５６】
請求項４１に記載のクレジットデリバティブ局において、
その指示は、さらに、プロセッサに、任意のクレジットデリバティブについてのスプレッドの履歴の要求を受信させ、受信された要求に応答してそのスプレッド履歴を提供させる
ことを特徴とするクレジットデリバティブ局。
【請求項５７】
クレジットデリバティブのオンライントレーディング方法であって、
トレーダークライアントからポジションを受信し、
そのポジションがベストポジションかを判断し、受信されたポジションはベストポジションであると判断された場合に、受信されたポジションに基づいて、複数の他のトレーダークライアントをアップデートする
ことを特徴とするオンライントレーディング方法。
【請求項５８】
請求項５７に記載のオンライントレーディング方法において、さらに、
複数の他のトレーダークライアントをリアルタイムにアップデートする
ことを特徴とするオンライントレーディング方法。
【請求項５９】
請求項５７に記載のオンライントレーディング方法において、さらに、
受信されたポジションに基づいて、データベース中に蓄積された情報をアップデートする
ことを特徴とするオンライントレーディング方法。
【請求項６０】
請求項５７に記載のオンライントレーディング方法において、さらに、
受信されたポジションがベストポジションかを判断する前に、受信されたポジションを検証する
ことを特徴とするオンライントレーディング方法。
【請求項６１】
請求項６０に記載のオンライントレーディング方法において、さらに、
受信されたポジションの検証が失敗した場合に、エラーメッセージをトレーダークライアントに対して表示する
ことを特徴とするオンライントレーディング方法。
【請求項６２】
請求項５７に記載のオンライントレーディング方法において、さらに、
レスポンシブポジションを受信する
ことを特徴とするオンライントレーディング方法。
【請求項６３】
請求項６２に記載のオンライントレーディング方法において、さらに、
レスポンシブポジションに基づいて、データベース中に蓄積された情報をアップデートする
ことを特徴とするオンライントレーディング方法。
【請求項６４】
請求項５７に記載のオンライントレーディング方法において、さらに、
複数の他のトレーダークライアントの一つからのポジションの受け入れを受信する
ことを特徴とするオンライントレーディング方法。
【請求項６５】
請求項６４に記載のオンライントレーディング方法において、さらに、
一旦そのポジションが受け入れられた場合に、トレーダークライアントがそのポジションを受け入れた他のトレーダークライアントまたはブローカーと直接インタラクトできるようにさせる
ことを特徴とするオンライントレーディング方法。
【請求項６６】
請求項６５に記載のオンライントレーディング方法において、さらに、
受信された受け入れと、トレーダークライアントと他のトレーダークライアントまたはブローカーとの間のインタラクションに基づいて、データベース中に蓄積された情報をアップデートする
ことを特徴とするオンライントレーディング方法。
【請求項６７】
クレジットデリバティブトレーディングシステムであって、
クレジットデリバティブ局と、
複数のトレーダークライアントがクレジットデリバティブ局と接続し得るように構成された複数の端末と、
各複数のトレーダークライアントが、クレジットデリバティブ局と接続し、複数のクレジットデリバティブについての情報を見るようにし得る標準化されたインタフェースとを備え、
その標準化されたインタフェースは、各複数のクレジットデリバティブについての情報をコンパクトで一様な形式で表示するように構成される
ことを特徴とするクレジットデリバティブトレーディングシステム。
【請求項６８】
請求項６７に記載のクレジットデリバティブトレーディングシステムにおいて、
標準化されたインタフェースは、さらに、各複数のトレーダークライアントが、複数のクレジットデリバティブについて表示された情報のトレーダークライアントのビューをカスタマイズできるように構成される
ことを特徴とするクレジットデリバティブトレーディングシステム。
【請求項６９】
請求項６８に記載のクレジットデリバティブトレーディングシステムにおいて、
カスタマイズされたインタフェースは、さらに、各複数のトレーダークライアントが、領域に基づいてトレーダークライアントのビューをカスタマイズできるようにする
ことを特徴とするクレジットデリバティブトレーディングシステム。
【請求項７０】
請求項６８に記載のクレジットデリバティブトレーディングシステムにおいて、
カスタマイズされたインタフェースは、さらに、各複数のトレーダークライアントが、産業に基づいてトレーダークライアントのビューをカスタマイズできるようにする
ことを特徴とするクレジットデリバティブトレーディングシステム。
【請求項７１】
請求項６８に記載のクレジットデリバティブトレーディングシステムにおいて、
カスタマイズされたインタフェースは、さらに、各複数のトレーダークライアントが、少なくとも一つの参照組織名、クレジット期間、債務レベル、スプレッド、リストラクチャリングレベル、売り値、そしてクレジット格付けに基づいてトレーダークライアントのビューをカスタマイズできるようにする
ことを特徴とするクレジットデリバティブトレーディングシステム。
【請求項７２】
請求項６７に記載のクレジットデリバティブトレーディングシステムにおいて、
カスタマイズされたインタフェースは、さらに、各複数のトレーダークライアントが、クレジットデリバティブポジションをオンラインで指定できるようにする
ことを特徴とするクレジットデリバティブトレーディングシステム。
【請求項７３】
請求項７２に記載のクレジットデリバティブトレーディングシステムにおいて、
カスタマイズされたインタフェースは、さらに、各複数のトレーダークライアントが、いつでも１回のクリックで指定されたポジションをアップデートできるようにする
ことを特徴とするクレジットデリバティブトレーディングシステム。
【請求項７４】
請求項７２に記載のクレジットデリバティブトレーディングシステムにおいて、
カスタマイズされたインタフェースは、さらに、各複数のトレーダークライアントが、いつでも１回のクリックでトレーダークライアントの指定されたポジションの全てまたはいくつかを不活性化できるようにする
ことを特徴とするクレジットデリバティブトレーディングシステム。
【請求項７５】
請求項７４に記載のクレジットデリバティブトレーディングシステムにおいて、
カスタマイズされたインタフェースは、さらに、各複数のトレーダークライアントが、１回のクリックで彼らの不活性化されたポジションのいくつかまたは全てを再活性化できるようにする
ことを特徴とするクレジットデリバティブトレーディングシステム。
【請求項７６】
請求項６７に記載のクレジットデリバティブトレーディングシステムにおいて、
カスタマイズされたインタフェースは、さらに、各複数のトレーダークライアントが、ポジションを選択し、取引希望を示すことによって他のポジションで取引できるようにする
ことを特徴とするクレジットデリバティブトレーディングシステム。
【請求項７７】
請求項６７に記載のクレジットデリバティブトレーディングシステムにおいて、
カスタマイズされたインタフェースは、さらに、各複数のトレーダークライアントが、クレジットデリバティブについてのスプレッド履歴を見ることができるようにする
ことを特徴とするクレジットデリバティブトレーディングシステム。
【請求項７８】
請求項６７に記載のクレジットデリバティブトレーディングシステムにおいて、
カスタマイズされたインタフェースは、さらに、各複数のトレーダークライアントが、電子的メッセージを介して他のトレーダークライアントまたはブローカーとインタラクトできるようにする
ことを特徴とするクレジットデリバティブトレーディングシステム。
【請求項７９】
請求項６７に記載のクレジットデリバティブトレーディングシステムにおいて、
カスタマイズされたインタフェースは、さらに、各複数のトレーダークライアントが、トレーダークライアントが過去に行ったクレジットデリバティブトレードの履歴を見ることができるようにする
ことを特徴とするクレジットデリバティブトレーディングシステム。
【請求項８０】
請求項６７に記載のクレジットデリバティブトレーディングシステムにおいて、
カスタマイズされたインタフェースは、さらに、各複数のトレーダークライアントが、各複数のクレジットデリバティブについて表示された情報をアップデートできるようにする
ことを特徴とするクレジットデリバティブトレーディングシステム。
【請求項８１】
請求項６７に記載のクレジットデリバティブトレーディングシステムにおいて、
コンパクトで一様な形式は、各複数のクレジットデリバティブについての参照組織名を含む
ことを特徴とするクレジットデリバティブトレーディングシステム。
【請求項８２】
請求項６７に記載のクレジットデリバティブトレーディングシステムにおいて、
コンパクトで一様な形式は、各複数のクレジットデリバティブについての予定終了期間を含む
ことを特徴とするクレジットデリバティブトレーディングシステム。
【請求項８３】
請求項６７に記載のクレジットデリバティブトレーディングシステムにおいて、
コンパクトで一様な形式は、各複数のクレジットデリバティブについてのビッドそして／または売り値を含む
ことを特徴とするクレジットデリバティブトレーディングシステム。
【請求項８４】
請求項６７に記載のクレジットデリバティブトレーディングシステムにおいて、
コンパクトで一様な形式は、各複数のクレジットデリバティブについての債務レベルを含む
ことを特徴とするクレジットデリバティブトレーディングシステム。
【請求項８５】
請求項６７に記載のクレジットデリバティブトレーディングシステムにおいて、
コンパクトで一様な形式は、各複数のクレジットデリバティブについてのリストラクチャリングレベルを含む
ことを特徴とするクレジットデリバティブトレーディングシステム。
【請求項８６】
クレジットデリバティブ局であって、
任意の参照組織についてのクレジットデリバティブ情報を蓄積するように構成されたデータベースと、
実行指示を蓄積するように構成されたメモリと、
データベースとメモリとに接続されたプロセッサとを備え、
そのプロセッサは、その指示を実行するように構成され、
その指示は、プロセッサに、ポジションに基づくトレーダークライアントからの取引希望の表示を受信させ、トレーダークライアントがそのポジションで取引できるかを判断させ、そのトレーダークライアントがそのポジションで取引できると判断された場合に、決定された取引を処理させる
ことを特徴とするクレジットデリバティブ局。
【請求項８７】
請求項８６に記載のクレジットデリバティブ局において、
その指示は、さらに、プロセッサに、その取引に応じて、複数の他のトレーダークライアントに提供される、そのポジションに関するクレジットデリバティブについての情報をアップデートさせる
ことを特徴とするクレジットデリバティブ局。
【請求項８８】
請求項８６に記載のクレジットデリバティブ局において、
その指示は、さらに、プロセッサに、その取引に応じて、データベース中に蓄積された情報をアップデートさせる
ことを特徴とするクレジットデリバティブ局。
【請求項８９】
請求項８６に記載のクレジットデリバティブ局において、
その指示は、さらに、プロセッサに、各複数のトレーダークライアントから、各複数のトレーダークライアントがどのトレーダークライアントと取引したいかを示す情報を受信させ、その指示は、さらに、プロセッサに、その受信された情報に基づいて、トレーダークライアントがそのポジションで取引し得るかを判断させる
ことを特徴とするクレジットデリバティブ局。
【請求項９０】
請求項８６に記載のクレジットデリバティブ局であって、
その指示は、さらに、プロセッサに、各複数のトレーダークライアントから受信された指示情報をデータベース中に蓄積させる
ことを特徴とするクレジットデリバティブ局。
【請求項９１】
クレジットデリバティブのオンライントレーディング方法において、
ポジションに基づくトレーダークライアントから取引希望の表明を受信し、
そのトレーダークライアントがそのポジションで取引し得るかを判断し、
そのトレーダークライアントがそのポジションで取引し得ると判断された場合に、決定された取引を処理する
ことを特徴とするオンライントレーディング方法。
【請求項９２】
請求項９１に記載のオンライントレーディング方法において、さらに、
取引に応じて、他の複数のトレーダークライアントに対して提供される、そのポジションに関するクレジットデリバティブについての情報をアップデートする
ことを特徴とするオンライントレーディング方法。
【請求項９３】
請求項９１に記載のオンライントレーディング方法において、さらに、
取引に応じて、データベース中に蓄積された情報をアップデートする
ことを特徴とするオンライントレーディング方法。
【請求項９４】
請求項９１に記載のオンライントレーディング方法において、さらに、
各複数のトレーダークライアントから、各複数のトレーダークライアントがどのトレーダークライアントと取引したいかを示す情報を受信し、その受信された情報に基づいて、トレーダークライアントがそのポジションで取引し得るかを判断する
ことを特徴とするオンライントレーディング方法。
【請求項９５】
請求項９１に記載のオンライントレーディング方法において、さらに、
各複数のトレーダークライアントから受信された指示情報をデータベース中に蓄積する
ことを特徴とするオンライントレーディング方法。